(57)【要約】      （修正有）【課題】乗りかごのかご床が水等の液体により濡れてしまった場合に、効率よく確実にかご床から排水することができ、利用者に対して見栄えが良い実用的なエレベータを提供する。【解決手段】乗りかごが昇降路内を昇降するエレベータでは、乗りかごのかご床１０には、乗りかごの側面部と背面部１３に沿って形成されてかご床１０が濡れた際に排水する排水溝２３と、排水溝２３からかご床１０の外部に排水する排水穴３１，３２を有しており、かご床１０には、排水溝側に傾斜して例えば傾斜部としての床面４０が形成されている。【選択図】図３
2010120761.tif 000002
【特許請求の範囲】
【請求項１】
乗りかごが昇降路内を昇降するエレベータであって、
前記乗りかごのかご床には、前記乗りかごの側面部と背面部に沿って形成されて前記かご床が濡れた際に排水する排水溝と、前記排水溝から前記かご床の外部に排水する排水穴を有しており、
前記かご床には、前記排水溝側に下がるように傾斜している傾斜部が形成されていることを特徴とするエレベータ。
【請求項２】
前記かご床の前記傾斜部は、前記かご床の前記乗りかごの出入り口部が高く前記乗りかごの前記背面部側が低くなるように傾斜されていることを特徴とする請求項１に記載のエレベータ。
【請求項３】
前記かご床の前記傾斜部は、前記かご床の中央部から左右の前記側面部の前記排水溝に向けて湾曲して形成されていることを特徴とする請求項１に記載のエレベータ。
【請求項４】
前記かご床には、排水用の目地が形成されており、前記目地には前記傾斜部である傾斜排水溝が形成され、前記傾斜排水溝は、前記出入り口部から前記背面部に向けて前記背面部側の前記排水溝に通じるように形成されていることを特徴とする請求項１に記載のエレベータ。
【請求項５】
前記かご床には、排水用の目地が形成されており、前記目地には前記傾斜部である傾斜排水溝が形成され、前記傾斜排水溝は、前記かご床の中央部から左右の前記側面部に向けて左右の前記側面部側の前記排水溝に通じるように形成されていることを特徴とする請求項１に記載のエレベータ。
【請求項６】
前記かご床には、通電することで発熱する発熱体が配置されていることを特徴とする請求項１〜請求項５のいずれか１つの項に記載のエレベータ。
【請求項７】
前記かご床の前記排水穴に接続されて液体を収容するタンクと、前記昇降路のピットに配置されて前記乗りかごが前記ピットに位置された時に前記タンクに収容された前記液体を受ける受け部材と、を有することを特徴とする請求項１〜請求項６のいずれか１つの項に記載のエレベータ。
【請求項８】
前記排水溝と前記排水穴が、前記側面部または前記背面部から奥まった位置に配置されていることを特徴とする請求項６または請求項７に記載のエレベータ。
【発明の詳細な説明】
【技術分野】
【０００１】
本発明は、エレベータに関し、特に乗りかごのかご床が水等の液体により濡れた場合に排水を行うことができるエレベータに関する。
【背景技術】
【０００２】
エレベータの乗りかごは、昇降路内を昇降して利用者や荷物を移送する。一例として、エレベータが水等の液体を扱う建築物に設置されることがある。例えば、エレベータが魚介類の処理作業場や家畜を扱う建築物等に設置されている場合には、乗りかごを利用して魚介類や家畜を搬送する際に、魚介類や家畜から洗浄水等の液体が落下してかご床を濡らすことがある。
【０００３】
そこで、乗りかごのかご床が水等の液体により濡れてしまっても、かご床を排水できるエレベータの乗りかごが提案されている（特許文献１の図１を参照）。この乗りかごでは、かご床が水洗い可能なように、かご床の周囲の縁部に排水路が形成されており、このかご床の排水路に連通するようにして排水孔が設けられ、かご床の下部には排水孔を介して排水路に連通する排水タンクを備えている。
【０００４】
また、特許文献１の図５には、かご床の床面が中央部に向かって下降する斜面を有しているものが示されており、かご床の中央部には排水部が設けられ、さらにスノコ状の多数の漏水孔を有する蓋板が、この排水部を覆うようにして設けられている。
【特許文献１】特開２００５―４１６１９号公報
【発明の開示】
【発明が解決しようとする課題】
【０００５】
しかし、特許文献１に開示された乗りかごのかご床が平坦面である場合には、作業者が平坦なかご床上の水等の液体をかご床の周囲の縁部の排水路に導く作業を行う必要があり、その作業が面倒である。しかも、平坦なかご床上に水等の液体の一部が残って濡れた状態になってしまう。かご床が濡れてしまっていると、利用者にとってはかご床が滑りやすくなり、利用者に不快感を与えてしまう。仮に、かご床のふき取り作業者がかご床に残った水等の液体を雑巾等で拭き取ろうとしても、エレベータが稼働中ではすぐに利用者が乗りかごに乗り込んでくるために、頻繁にかご床を拭きとらばければならずふき取り作業が煩雑になる。また、エレベータの動作を止めてかご床に残った水等の液体を自然乾燥しようとすると時間がかかってしまい、エレベータの稼働効率が下がる。
【０００６】
また、上述したように、かご床の床面が中央部に向かって下降する斜面を有しかご床の中央部にはスノコ状の多数の漏水孔を有する蓋板が設けられているものでは、蓋板が利用者の目につきやすく見栄えが悪く、スノコ状の蓋板では利用者が滑りやすく、しかもこのスノコ状の蓋板の漏水孔から内部に物を落としてしまうおそれがあるために、実用的ではない。
【０００７】
本発明は上記課題を解決するためになされたものであり、本発明の目的は、乗りかごのかご床が水等の液体により濡れてしまった場合に、効率よく確実にかご床から排水することができ、利用者に対して見栄えが良い実用的なエレベータを提供することである。
【課題を解決するための手段】
【０００８】
本発明のエレベータは、乗りかごが昇降路内を昇降するエレベータであって、前記乗りかごのかご床には、前記乗りかごの側面部と背面部に沿って形成されて前記かご床が濡れた際に排水する排水溝と、前記排水溝から前記かご床の外部に排水する排水穴を有しており、前記かご床には、前記排水溝側に下がるように傾斜している傾斜部が形成されていることを特徴とする。
【発明の効果】
【０００９】
本発明によれば、乗りかごのかご床が水等の液体により濡れてしまった場合に、効率よく確実にかご床から排水することができ、利用者に対して見栄えが良い実用的なエレベータを提供することができる。
【発明を実施するための最良の形態】
【００１０】
以下、本発明の実施の形態について図面を参照して詳細に説明する。
【００１１】
（第１の実施の形態）
図１は、本発明のエレベータの好ましい実施の形態を示す構成図である。
【００１２】
図１に示すエレベータ１では、乗りかご２がロープ３の一端部３Ｂに接続されており、つり合いおもり４がロープ３の他端部３Ｃに接続されている。昇降路５内には、一対のガイドレール６，６がＺ方向に配置されている。巻上機９の回転軸８は、モータ７の動作によりＲ方向に回転することで、ロープ３を巻上機９によって移動させて、乗りかご２は昇降路５内のガイドレール６，６に沿ってＺ方向に昇降できる。モータ７の動作は、制御部１００の指令により制御される。
【００１３】
図２は、図１に示す乗りかご２のかご床１０と左右の側面部１１，１２と背面部１３を示す平面図である。
【００１４】
図２に示すかご床１０は、平面でみて長方形あるいは正方形状を有しており、かご室２０は、かご床１０と、左右の側面部１１，１２と、背面部１３、出入り口部１４および天井部（図示せず）により囲まれている。左右の側面部１１，１２はＸ方向に沿って平行であり、背面部１３と出入り口部１４はＹ方向に沿って平行である。
【００１５】
図２に示すように、かご床１０には、排水溝２１，２２，２３と、複数の排水穴３１，３２が形成されている。排水溝２１，２２，２３はかご床１０の３方の隅部に形成されている。すなわち、排水溝２１は、かご床１０において側面部１１に沿ってＸ方向に形成されており、排水溝２２は、かご床１０において側面部１２に沿ってＸ方向に形成されている。排水溝２３は、かご床１０において背面部１３に沿ってＹ方向に形成されている。排水溝２１，２２，２３は、利用者から見立たないようにしてそれぞれ側面部１１，１２および背面部１３に沿って形成されている。図２に示すＸ方向とＹ方向とＺ方向（図２の紙面垂直方向）は、互いに直交している。
【００１６】
図２に示す１つの排水穴３１は、排水溝２１と排水溝２３がつながっているかご床１０の角部分２８に形成され、排水溝２１と排水溝２３がつながっている角部分２８は、側面部１１の奥の隅部と背面部１３の一方の隅部の交差する部分でもある。
【００１７】
もう１つの排水穴３２は、排水溝２２と排水溝２３がつながっているかご床１０の角部分２９に形成され、排水溝２２と排水溝２３がつながっている角部分２９は、側面部１２の奥の隅部と背面部１３の他方の隅部の交差する部分でもある。
【００１８】
図３は、図２に示すかご室２０のＳ−Ｓ線における断面図である。
【００１９】
図３に示すように、かご床１０の床面４０は、排水溝２３に向けてＸ１方向になだらかに下がっていく傾斜部（傾斜面）になっている。つまり、床面４０では、出入り口部１４側の高さＨ１が背面部１３側の高さＨ２が小さくなっている。これにより、傾斜部である床面４０は、かご床１０の出入り口部１４側が高く、背面部１３側が低くなるように傾斜されていて、床面４０に水等の液体が落下して濡れても、水等の液体は傾斜している床面４０に沿って背面部１３側の排水溝２３に流れていくので、排水穴３１，３２を通じてかご床１０の外部に容易に確実に導いて排水することができる。
【００２０】
図４は、図３の部分Ｍを拡大して示している。
【００２１】
図４と図３に示すように、背面部１３は、側板４４と幅木４５を有している。側板４４の下部４６は断面Ｌ字型に形成されており、この下部４６とかご床１０の上面との間には幅木４５が取り付けられている。この側板４４と幅木４５は、それぞれＺ方向に沿って互いにずれて配置されており、側板４４は、幅木４５に比べてＸ方向に関してかご室２０の内側に配置され、幅木４５は、Ｘ方向に関してかご室２０の外側に配置されている。これにより、幅木４５は側板４４に比べて、乗りかごの利用者から見て奥まった位置に配置されている。
【００２２】
図４に示すように、排水穴３１（３２）は、排水溝２３からＺ方向に沿って下方にかご床１０の裏面まで貫通して形成されている。排水溝２３と排水穴３１（３２）は、側板４４の下部４６の直下に配置され、幅木４５の下部の内面に近い位置に配置されている。すなわち、排水溝２３と排水穴３１（３２）は、側板４４の内面よりもＸ１方向にずれた位置に配置されているので、排水溝２３と排水穴３１（３２）は、乗りかご内の利用者から目視では見えづらくして目立ちにくくしている。同様にして、図２に示す排水溝２１，２２も、側面部１１，１２の側板の内面から同様にして外側にずれた位置に形成されているので、排水溝２１，２２は、乗りかご内の利用者から目視では見えづらくして目立ちにくくしている。
【００２３】
これにより、排水溝２１，２２が側面部１１，１２に沿ってそれぞれ形成され、排水溝２３と排水穴３１（３２）が背面部１３に沿って形成されているが、排水溝２１，２２と排水溝２３と排水穴３１（３２）は側板よりも外側にずれた位置に形成されているので、利用者からは目視では見えづらくして目立ちにくくしているので、見栄えが良い。
【００２４】
そして、かご床１０の床面に落ちた水等の液体は、排水溝２３側に下がるように傾斜している傾斜部としての床面４０により、排水溝２３から排水穴３１（３２）を通じて乗りかごのかご床１０の外に排出できる。従って、エレベータの乗りかごの床面が水等の液体で濡れた場合に、液体を乗りかご内から外に効率よく容易にかつ確実に排出できるので、利用者がかご床１０で滑ることがなく、利用者の不快感を和らげることができる。
【００２５】
この実施の形態では、排水溝はかご床の中央ではなく、側面部と背面部に沿って排水溝２１，２２，２３が形成されており、かご床１０には排水溝２３側に下がるように傾斜している傾斜部としての床面４０が形成され、排水溝２１，２２，２３と排水穴３１，３２は利用者から見えにくく見栄えが良い。また、本発明のエレベータでは、乗りかごのかご床１０にはスノコ状の蓋板が配置されていないので、利用者が滑るのを防止でき、スノコ状の蓋板の漏水孔から内部に物を落としてしまうおそれがなく、実用的である。
【００２６】
次に、本発明の別の実施の形態を説明する。なお、以下に説明する各実施の形態において、上述の第１の実施の形態において説明した構成要素と同一の構成要素には同一の符号を付し、同一の構成要素の説明は重複するので省略する。
【００２７】
（第２の実施の形態）
本発明における第２の実施の形態について説明する。
【００２８】
図５は、図２に示すかご室２０の左右方向における断面図である。
【００２９】
図５に示すように、かご床１０の床面４０は、中央部４０Ｐを頂点として左右方向に振り分けてなだらかに下がる傾斜部として形成されている。すなわち、床面４０は、かご室２０の間口方向（Ｙ方向）に沿って、中央部４０Ｐを頂点として左右方向にＹ１方向に向けてなだらかに下がっていく湾曲した傾斜部になっている。床面４０では、中央部１４側の高さＨ１に比べて左右の側面部１１，１２側の高さＨ２が小さくなっている。
【００３０】
これにより、床面４０に水等の液体が落下しても、水等の液体は傾斜している床面４０に沿って左右に振り分けられて側面部１１，１２の排水溝２１，２２に容易に確実に導いて排水することができる。
【００３１】
図５に示すように、左右の側面部１１，１２についても、図４に示す背面部１３と同様に側板５４と幅木５５を有している。側板５５の下部５６は断面Ｌ字型に形成されており、この下部５６とかご床１０の上面との間には幅木５５が取り付けられている。この側板５４と幅木５５は、それぞれＺ方向に沿って配置されているが、側板５４は、幅木５５に比べてＹ方向に関して内側に配置され、幅木５５は、Ｙ１方向に関して外側に配置されている。これにより、幅木５５は側板５４に比べて奥まった位置に配置されている。
【００３２】
図５に示すように、排水穴３１（３２）は、排水溝２１，２２からＺ方向に沿ってかご床１０の裏面まで貫通して形成されている。排水溝２１，２２と排水穴３１（３２）は、側板５４の下部５６の直下に配置され、幅木５５の内面に近い位置に配置されている。すなわち、排水溝２１，２２と排水穴３１（３２）は、側板５４の内面よりもＹ１方向にずれた位置に配置されているので、排水溝２１，２２と排水穴３１（３２）が、乗りかご内の利用者からは目立ちにくくしている。
【００３３】
これにより、排水溝２１，２２と排水穴３１（３２）がかご床の側面部１１，１２に沿って形成されているが、排水溝２１，２２と排水穴３１（３２）は側板５４よりも外側にずれた位置に形成されているので、乗りかご内の利用者からは目視では見えづらくして目視で見えにくく、見栄えが良い。そして、かご床１０の床面４０に落ちた水等の液体は、水等の液体は排水溝２１，２２側に下がるように傾斜している傾斜部としての床面４０により振り分けられて、排水溝２１，２２から排水穴３１（３２）を通じて容易に確実に乗りかごの外に排出できる。従って、エレベータの乗りかごの床面が水等の液体で濡れた場合に、液体を乗りかごから外に効率よく容易に確実に排出できるので、利用者がかご床１０で滑ることがなく、利用者の不快感を和らげることができる。
【００３４】
この実施の形態では、排水溝はかご床の中央ではなく、側面部と背面部に沿って排水溝２１，２２，２３が形成されており、かご床１０には排水溝２１，２２側に下がるように傾斜している傾斜部としての床面４０が形成され、排水溝２１，２２，２３と排水穴３１，３２は利用者から見えにくく見栄えが良い。また、本発明のエレベータでは、乗りかごのかご床１０にはスノコ状の蓋板が配置されていないので、利用者が滑るのを防止でき、スノコ状の蓋板の漏水孔から内部に物を落としてしまうおそれがなく、実用的である。
【００３５】
（第３の実施の形態）
本発明における第３の実施の形態について説明する。
【００３６】
図６は、図１に示す乗りかご２の別の実施形態のかご床１０を示す平面図であり、図７は、図６に示すＫ−Ｋ線における断面図である。
【００３７】
図６と図７に示すように、乗りかごのかご床１０には、排水溝２１，２２，２３と、複数の排水穴３１，３２が形成されていることは、図２の実施の形態と同じである。
【００３８】
図６と図７に示す実施の形態では、さらに、乗りかごのかご床１０には、複数本の排水用の目地５０が、出入り口部１４から背面部１３に向かってＸ１方向に沿って、同じ間隔をおいて形成されている。これらの排水用の目地５０内には、それぞれ排水用の傾斜部としての傾斜排水溝５１が形成されている。各傾斜排水溝５１は、目地５０内においてＸ１方向に傾斜して形成されており、各傾斜排水溝５１の底部分の高さについては、出入り口部１４側の高さＨ１が背面部１３側の高さＨ２に比べて高くなっている。各傾斜排水溝５１の最も低い部分は、排水溝２３につながっている。
【００３９】
これにより、かご床１０の床面に落ちた水等の液体は、排水溝２３側に下がるように傾斜している傾斜部としての傾斜排水溝５１により、傾斜排水溝５１と排水溝２３から排水穴３１（３２）を通じて容易に確実に乗りかごの外に排出できる。もちろん、水等の液体は、排水溝２１，２２を通じて排水穴３１，３２により排水することもできる。
【００４０】
各傾斜排水溝５１は細い溝であり、利用者からは目視では見えづらくして目視で見えにくく、見栄えが良い。エレベータの乗りかごの床面が水等の液体で濡れた場合に、液体を乗りかごから外に効率よく容易に確実に排出できるので、利用者がかご床１０で滑ることがなく、利用者の不快感を和らげることができる。
【００４１】
この実施の形態では、排水溝はかご床の中央ではなく、側面部と背面部に沿って排水溝２１，２２，２３が形成されており、かご床１０には排水溝２３側に下がるように傾斜している傾斜部としての傾斜排水溝５１が形成され、排水溝２１，２２，２３と排水穴３１，３２は利用者から見えにくく見栄えが良い。また、本発明のエレベータでは、乗りかごのかご床１０にはスノコ状の蓋板が配置されていないので、利用者が滑るのを防止でき、スノコ状の蓋板の漏水孔から内部に物を落としてしまうおそれがなく、実用的である。
【００４２】
（第４の実施の形態）
本発明における第４の実施の形態について説明する。
【００４３】
図８は、図１に示す乗りかご２のさらに別の実施形態のかご床１０を示す平面図であり、図９は、図８に示すＪ−Ｊ線における断面図である。
【００４４】
図８と図９に示すように、乗りかごのかご床１０には、排水溝２１，２２，２３と、複数の排水穴３１，３２が形成されていることは、図２の実施の形態と同じである。
【００４５】
図８と図９に示す実施の形態では、さらに、乗りかごのかご床１０には、複数本の排水用の目地６０が、側面部１１，１２の間でＹ方向に沿って、同じ間隔をおいて形成されている。これらの排水用の目地６０内には、それぞれ傾斜部としての傾斜排水溝６１が形成されている。各傾斜排水溝６１は、目地６０内において中央部６０Ｐから左右の側面部１１，１２の排水溝２１，２２に向けてそれぞれＹ１方向に傾斜して形成されている。各傾斜排水溝６１の底部分の高さについては、中央部６０Ｐ側が左右の側面部１１，１２側に比べて高くなっている。各傾斜排水溝６１の両端部は、排水溝２１，２２にそれぞれつながっている。
【００４６】
これにより、かご床１０の床面に落ちた水等の液体は、排水溝２１，２２側に下がるように傾斜している傾斜部としての傾斜排水溝６１により、傾斜排水溝６１と排水溝２１，２２から排水穴３１（３２）を通じて容易に乗りかごの外に排出できる。
【００４７】
各傾斜排水溝６１は細い溝であり、利用者からは目視では見えづらくして目視で見えにくく、見栄えが良い。もちろん、水等の液体は、排水溝２１，２２を通じて排水穴３１，３２から排水できる。
【００４８】
エレベータの乗りかごの床面が水等の液体で濡れた場合に、液体を乗りかごから外に効率よく容易に確実に排出できるので、利用者がかご床１０で滑ることがなく、利用者の不快感を和らげることができる。
【００４９】
この実施の形態では、排水溝はかご床の中央ではなく、側面部と背面部に沿って排水溝２１，２２，２３が形成されており、かご床１０には排水溝２１，２２側に下がるように傾斜している傾斜部としての傾斜排水溝６１が形成され、排水溝２１，２２，２３と排水穴３１，３２は利用者から見えにくく見栄えが良い。また、本発明のエレベータでは、乗りかごのかご床１０にはスノコ状の蓋板が配置されていないので、利用者が滑るのを防止でき、スノコ状の蓋板の漏水孔から内部に物を落としてしまうおそれがなく、実用的である。
【００５０】
（第５の実施の形態）
本発明における第５の実施の形態について説明する。
【００５１】
図１０は、本発明のさらに別の実施の形態を示している。
【００５２】
例えば図７に示す例では、傾斜部としての傾斜排水溝５１を有する排水用の目地５０が設けられているが、図１０に示す例では、発熱体としての熱線７０が、乗りかごのかご床１０の上面であってこの目地５０の下側に設けられている。この熱線７０は、通電用の制御部７１から通電されることで発熱をして、例えばかご床１０に雪や氷が着いたとしても、雪や氷を溶かして液体化することで、傾斜排水溝５１と３方の排水溝２１，２２，２３（例えば図２を参照）から排水穴３１（３２）を通じて乗りかごの外に排出できる。従って、エレベータの乗りかごの床面が雪や氷で濡れた場合に、液体を乗りかごから外に効率よく容易に確実に排出できしかもかご床を早く乾燥でき、利用者がかご床１０で滑ることがなく、利用者の不快感を和らげることができる。
【００５３】
（第６の実施の形態）
本発明における第６の実施の形態について説明する。
【００５４】
図１１は、本発明のさらに別の実施の形態を示している。
【００５５】
図１１に示す例では、かご床１０には、多孔質の板材である例えばタイル７４が設置されている。タイル７４は排水溝２３側に傾斜した傾斜部の一例であり、このタイル７４には、無数の細かい穴が形成されており、このタイル７４には水等の液体が浸透する仕組みになっている。
【００５６】
タイル１４の下側には、吸水シート７５が敷いてあり、吸水シート７５とかご床１０の上面の間には発熱体としての熱線シート７６が配置されている。この熱線シート７６は、通電用の制御部７７から通電されることで発熱するようになっている。
【００５７】
タイル７４に浸透した水等の液体は、吸水シート７５に浸みこみ、熱線シート７６の発熱により吸水シート７５に吸水された水等の液体を蒸発させることができる。従って、エレベータの乗りかごの床面が水等の液体で濡れた場合に、水等の液体を蒸発させるとともに、傾斜部としてのタイル７４と、排水溝２１，２２，２３（例えば図２を参照）から排水穴３１（３２）を通じて液体を乗りかごから外に効率よく容易に確実に排出できしかもかご床を早く乾燥でき、利用者がかご床１０で滑ることがなく、利用者の不快感を和らげることができる。
【００５８】
なお、図１０と図１１に示す本発明の各実施の形態は、本発明の他の実施の形態に対して組み合わせて用いることができる。
【００５９】
（第７の実施の形態）
本発明における第７の実施の形態について説明する。
【００６０】
図１２は、本発明のさらに別の実施の形態を示している。
【００６１】
図１２に示す例では、ホース８０が排水穴３１（３２）の下端部に対して接続されている。このホース８０はタンク８１に接続されている。タンク８１はかご床１０の下部に固定され、乗りかごとともに昇降路５内を昇降する。エレベータの乗りかごが昇降路内を下降すると、タンク８１の排出口８３は排水受け８２の上部に位置させることができる。排水受け８２の下部８４は昇降路５のピット８５の通路に接続されている。
【００６２】
これにより、排水穴３１（３２）から排出された水等の液体は、ホース８０を通り、かご床１０の下に配置されたタンク８１に溜まる。例えば、タンク８１内が水等の液体により満水になると、エレベータの乗りかごが昇降路５内を降下し、タンク８１の排出口８３が排水受け８２の上部に位置される。このため、タンク８１内の液体は排水受け８２を介してピット８５の外部に容易に確実に排水することができる。この実施の形体は、上述した各実施の形態に対して任意に適用できる。
【００６３】
本発明のエレベータは、乗りかごが昇降路内を昇降するエレベータであって、乗りかごのかご床には、乗りかごの側面部と背面部に沿って形成されてかご床が濡れた際に排水する排水溝と、排水溝からかご床の外部に排水する排水穴を有しており、かご床には、排水溝側に下がるように傾斜している傾斜部が形成されている。
【００６４】
従来のエレベータの乗りかごでは、かご床の床面が中央部に向かって下降する斜面を有しかご床の中央部にはスノコ状の多数の漏水孔を有する蓋板が設けられているものでは、蓋板が目立つので見栄えが悪く、スノコ状の蓋板では利用者が滑りやすく、しかもこのスノコ状の蓋板の漏水孔から内部に物を落としてしまうおそれがあるために、実用的ではない。
【００６５】
これに対して、本発明のエレベータでは、排水溝はかご床の中央ではなく、側面部と背面部に沿って排水溝が形成されており、かご床には排水溝側に下がるように傾斜している傾斜部が形成されているので、排水溝と排水穴は利用者から見えにくく見栄えが良い。また、本発明のエレベータでは、乗りかごのかご床にはスノコ状の蓋板が配置されていないので、利用者が滑るのを防止でき、スノコ状の蓋板の漏水孔から内部に物を落としてしまうおそれがない。
【００６６】
これにより、本発明のエレベータの乗りかごは、乗りかごのかご床が水等の液体により濡れてしまった場合に、効率よく確実にかご床から排水することができ、利用者に対して見栄えが良く、実用上のメリットが大きい。
【００６７】
また、本発明のエレベータでは、乗りかごの傾斜部は、かご床の乗りかごの出入り口部が高く乗りかごの背面部側が低くなるように傾斜されている。これにより、かご床が水等の液体により濡れても背面部側の排水溝と排水穴を通じて効率よく容易に確実に排水できる。
【００６８】
本発明のエレベータでは、乗りかごの傾斜部は、かご床の中央部から左右の側面部の排水溝に向けて湾曲して形成されている。これにより、かご床が水等の液体により濡れても側面部側の排水溝と排水穴を通じて効率よく容易に確実に排水できる。
【００６９】
本発明のエレベータでは、乗りかごのかご床には、排水用の目地が形成されており、目地には傾斜部である傾斜の付いた傾斜排水溝が形成され、傾斜排水溝は、出入り口部から背面部に向けて背面部側の排水溝に通じるように形成されている。これにより、かご床が水等の液体により濡れても背面部側の排水溝と排水穴を通じて効率よく容易に確実に排水できる。
【００７０】
本発明のエレベータでは、乗りかごのかご床には、排水用の目地が形成されており、目地には傾斜部である傾斜の付いた傾斜排水溝が形成され、傾斜排水溝は、かご床の中央部から左右の側面部に向けて左右の側面部側の排水溝に通じるように形成されている。これにより、かご床が水等の液体により濡れても側面部側の排水溝と排水穴を通じて効率よく容易に確実に排水できる。
【００７１】
本発明のエレベータでは、乗りかごのかご床には、通電することで発熱する発熱体が配置されている。これにより、かご床が水等の液体により濡れてもより効率よく乾燥させることができる。
【００７２】
本発明のエレベータでは、乗りかごのかご床の排水穴に接続されて液体を収容するタンクと、昇降路のピットに配置されて乗りかごがピットに位置された時にタンクに収容された液体を受ける受け部材と、を有する。これにより、乗りかごがピット内に位置された時に、タンク内の液体を受け部材を通じてピットの外部に排出することができる。
【００７３】
本発明のエレベータでは、乗りかごでは、排水溝と排水穴が、側面部または背面部から奥まった位置に配置されていることを特徴とする。これにより、乗りかご内の利用者から見て排水溝と排水穴を奥まった位置に配置できるので、見栄えが良い。
【００７４】
本発明のエレベータは、水等の液体を扱う建築物、例えばエレベータが魚介類の処理作業場や家畜を扱う建築物等に設置されている場合に限らず、例えばペットが乗りかご内に搭乗した際に、糞尿を排出してかご床を汚してしまう場合等にも有効である。排水穴の数は、２つに限らず３つ以上設けても良く、排水穴を形成する位置は、任意に設定することができる。本発明のエレベータは、水等の液体を扱う建築物等の他に、一般的なオフィスビルに用いられるエレベータ等も含んでいる。
【００７５】
なお、この発明は、上記実施の形態そのままに限定されるものではなく、実施段階ではその要旨を逸脱しない範囲で構成要素を変形して具体化できる。さらに、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００７６】
【図１】本発明のエレベータの好ましい実施形態を示す図である。
【図２】図１に示す乗りかごのかご床と左右の側面部と背面部を示す平面図である。
【図３】図２に示すかご室のＳ−Ｓ線における断面図である。
【図４】図３の部分Ｍを拡大して示している図である。
【図５】図２に示すかご室の左右方向おける断面図である。
【図６】図１に示す乗りかごの別の実施形態のかご床を示す平面図である。
【図７】図６に示すＫ−Ｋ線における断面図である。
【図８】図１に示す乗りかごのさらに別の実施形態のかご床を示す平面図である。
【図９】図８に示すＪ−Ｊ線における断面図である。
【図１０】本発明のさらに別の実施の形態を示す図である。
【図１１】本発明のさらに別の実施の形態を示す図である。
【図１２】本発明のさらに別の実施の形態を示す図である。
【符号の説明】
【００７７】
１          エレベータ
２          乗りかご
３          ロープ
５          昇降路
１０        かご床
１１，１２  左右の側面部
１３        背面部
１４        出入り口部
２０        かご室
２１，２２，２３    排水溝
２８，２９  角部分
３１，３２  排水穴
４０        床面（傾斜部の一例）
４４        側板
４５        幅木
５０，６０  排水用の目地
５１，６１  傾斜排水溝（傾斜部の一例）
７０        発熱体としての熱線
７４        タイル（傾斜部の一例）
７６        発熱体としての熱線シート
８０        ホース
【図１】
2010120761.tif 000003
【図２】
2010120761.tif 000004
【図３】
2010120761.tif 000005
【図４】
2010120761.tif 000006
【図５】
2010120761.tif 000007
【図６】
2010120761.tif 000008
【図７】
2010120761.tif 000009
【図８】
2010120761.tif 000010
【図９】
2010120761.tif 000011
【図１０】
2010120761.tif 000012
【図１１】
2010120761.tif 000013
【図１２】
2010120761.tif 000014